(57)【要約】【課題】  安価な製造コストにて、廃棄物集積状況に細やかに対応した適切な廃棄物集積のための容積及び形状を提供することのできるパネルアセンブリを提供する。【解決手段】  廃棄物を集積するための空間を形成するよう２つ以上のパネルによって組み立てられるパネルアセンブリ２００。パネルは、互いに略同一の形状及び寸法を有する単位パネル２０からなり、これら単位パネルを係合解除可能な態様で互いに係合させて組み合わせることにより必要な空間を形成し、その組み合わせに用いられる単位パネル２０の数及び／又はその組み合わせの形態に応じて空間の大きさ又は形状を可変としている。  単位パネル２００は、その主面が略直立に維持されつつ形成すべき空間の少なくとも一部を取り囲み上端に開口が形成されるように組み合わされ、開口を被装するためのカバー部材４０をさらに有する。【選択図】  図７
2009084017.tif 000002
【特許請求の範囲】
【請求項１】
廃棄物を集積するための空間を形成するよう２つ以上のパネルによって組み立てられるパネルアセンブリであって、
前記パネルは、互いに略同一の形状及び寸法を有する単位パネルからなり、これら単位パネルを係合解除可能な態様で互いに係合させて組み合わせることにより前記空間を形成し、その組み合わせに用いられる単位パネルの数及び／又はその組み合わせの形態に応じて前記空間の大きさ又は形状を可変としたことを特徴とするパネルアセンブリ。
【請求項２】
前記単位パネルは、その主面が略直立に維持されつつ形成すべき空間の少なくとも一部を取り囲み上端に開口が形成されるように組み合わされ、前記開口を被装するためのカバー部材をさらに有することを特徴とする請求項１記載のパネルアセンブリ。
【請求項３】
前記カバー部材は、布地、網状布又は前記単位パネルであることを特徴とする請求項２記載のパネルアセンブリ。
【請求項４】
前記カバー部材を当該組み合わされた単位パネルに取り外し可能に結合又は接合するための結合又は接合手段をさらに有することを特徴とする請求項２又は３に記載のパネルアセンブリ。
【請求項５】
前記結合又は接合手段は、マジックテープ（登録商標）式開閉留めであることを特徴とする請求項４記載のパネルアセンブリ。
【請求項６】
、前記単位パネルは、その外縁に延在するフレームと、このフレームに張設されたネットとを有することを特徴とする請求項１乃至５のうちいずれか１つに記載のアセンブリ。
【発明の詳細な説明】
【技術分野】
【０００１】
本発明は、広く廃棄物を集積する空間を画定し形成するためのパネルアセンブリに関し、特に、予め規定された２つ以上のパネルによって組み立てられる廃棄物集積空間形成用パネルアセンブリに関する。
【背景技術】
【０００２】
例えば地方公共団体等が提供する、いわゆるごみの回収サービスに適したごみの集積所として使うことのできる折畳み式ゴミ箱及びゴミ集積用具がそれぞれ特許文献１及び２に開示されている。前者は、底面部、左右側面部、背面部、天面部、前面部及び斜面部という仕上がりのゴミ箱に対し予め決められた部位のパネルを、それぞれに適した寸法及び形状で形成し、これらを折り畳み可能かつ組み立て可能な形態で予め連結させて成るアセンブリを提供する。後者においても、背面パネル、一対の側面パネル、一対の正面パネル及び蓋パネルという仕上がりのゴミ集積用具に対し予め決められた部位のパネルを、それぞれに適した寸法及び形状で形成し、これらを折り畳み可能かつ組み立て可能な形態で予め連結させて成るアセンブリが提供される。
【０００３】
いずれも、折り畳み可能で折り畳み後は簡単に組み立てが可能なようにして、ごみの回収サービスにおける諸問題を解消するものである。
【特許文献１】特許第２７３７６４８号公報
【特許文献２】実用新案登録第３０８８５０４号公報
【発明の開示】
【発明が解決しようとする課題】
【０００４】
しかしながら、これら文献が提案するパネルアセンブリは、既に形状やサイズが決められており、廃棄物集積量の多く想定される時期や状況ではその容積が足りず廃棄物が溢れてしまい、逆に廃棄物集積量の少なく想定される時期や状況では過剰に大きな容積を提供し無用にその周囲の交通等の妨げを招く、という問題がある。
【０００５】
また、かかる既知のパネルアセンブリを様々な形状及びサイズの仕様で製造し、種々の容積タイプを用意することも考えられるが、製造コストが高くつくとともに、想定される廃棄物集積状況又は実際の廃棄物集積状況に細やかに対応するには不利である。
【０００６】
本発明は、かかる問題に鑑みてなされたものであり、その目的とするところは、廃棄物集積状況に的確に対応してその容積や形状を変えることのできる廃棄物集積空間形成用パネルアセンブリを提供することにある。
【０００７】
また、本発明の他の目的は、低コストで製造することのできる廃棄物集積空間形成用パネルアセンブリを提供することである。
本発明のさらに他の目的は、安価な製造コストを実現するとともに、想定される廃棄物集積状況又は実際の廃棄物集積状況に細やかに対応した適切な廃棄物集積のための容積及び形状を提供することのできるパネルアセンブリを提供することである。
【課題を解決するための手段】
【０００８】
上記目的を達成するため、本発明の特定の態様は、廃棄物を集積するための空間を形成するよう２つ以上のパネルによって組み立てられるパネルアセンブリであって、前記パネルは、互いに略同一の形状及び寸法を有する単位パネルからなり、これら単位パネルを係合解除可能な態様で互いに係合させて組み合わせることにより前記空間を形成し、その組み合わせに用いられる単位パネルの数及び／又はその組み合わせの形態に応じて前記空間の大きさ又は形状を可変とした、パネルアセンブリを提供する。
【０００９】
このようにすることによって、組み合わせの単位パネルの数及び／又は形態を変えることにより簡単に、廃棄物集積用の空間の容積や形状を変えることができ、しかも、これら単位パネルは同じ形状及び寸法なので、その製造は低コストで済むことになる。また、単位パネルは、係合解除可能な態様で組み合わされるので、廃棄物の回収の後は、その組み合わされた単位パネルを分離させることができ、分離した単位パネルを積み重ねたり、重ねて塀などに立て掛けておくことができる。その際、単位パネルが同じ形状及び寸法なので、非常にコンパクトに収まり好都合となる。
【００１０】
この態様において、前記単位パネルは、その主面が略直立に維持されつつ形成すべき空間の少なくとも一部を取り囲み上端に開口が形成されるように組み合わされ、前記開口を被装するためのカバー部材をさらに有するようにしてもよい。このようなカバー部材によって、カラスや犬、猫等が廃棄物を崩壊させ散らかすのを防いだり、当該ごみの集積所周辺の美観の維持に寄与することができる。
【００１１】
ここでのカバー部材は、布地、網状布又は前記単位パネルとしてもよい。好ましくはカバー部材を布地又は網状布とするのが良く、布地又は網状布の柔軟性により、単位パネルの組み合わせにより形成された空間が足りないときでも、単位パネルの上端を越えて盛り上がった廃棄物の外形に柔軟に適合するという利点を奏する。
【００１２】
本態様によるパネルアセンブリは、カバー部材を当該組み合わされた単位パネルに取り外し可能に結合又は接合するための結合又は接合手段をさらに有するようにしてもよい。これにより、小動物の侵入はもとより、風などでカバー部材がパネルアセンブリから外れてしまうことを防止することができ、また、廃棄物を当該空間へ投入するときには適宜必要な開口を空けることができる。
【００１３】
ここでの結合又は接合手段は、マジックテープ（登録商標）式開閉留めとしてもよい。これにより、かかる結合又は接合を比較的簡単かつ安価な手段にて実現することができる。
【００１４】
また、前記単位パネルは、その外縁に延在するフレームと、このフレームに張設されたネットとを有するものとしてもよい。これにより、比較的に簡単な形態で、当該パネルアセンブリに適した軽量かつ頑強な単位パネルを構成することができる。
【００１５】
なお、単位パネルの組み合わせに必要な係合手段は、種々の形態の部品や用具、単位パネルの構造の工夫などによって実現可能である。
【発明を実施するための最良の形態】
【００１６】
以下、本発明の上記態様及びその他の実施の形態を、実施例に基づき添付図面を参照して詳しく説明する。
【００１７】
図１は、本発明の一実施例による廃棄物集積空間形成用パネルアセンブリに用いられるパネルの骨格構造部を概略的に示している。
【００１８】
図において、このパネル骨格１０は、外形が例えば縦９００ｍｍ、横６００ｍｍの矩形に形成され、その外縁に沿って矩形状に延在する線状体フレーム１１と、このフレームの一辺からその対向する他辺へと互いに交差しつつ縦横にわたって好ましくは略等間隔にて直線状に延びる多数の線状体からなるネット１２とを有する。フレーム１１及びネット１２を構成する線状体は、好ましくはアルミニウムなどの軽量金属若しくはステンレス鋼などの耐蝕性金属又は十分な強度を有する強化樹脂により形成され、フレーム１１はネット１２の線状体よりも太く形成される。
【００１９】
図２は、図１のパネル骨格１０を用いさらに付加的パーツが組み付けられた仕上がりのパネルの構成を概略的に示している。
【００２０】
図において、この仕上がりパネル２０は、パネル骨格１０全体に張り巡らされ当該骨格に張着される被覆材２１を備える。被覆材２１は、好ましくは耐水性のあるナイロンなどの合成樹脂製の繊維又は紐を編み込んで作られた布地又は網状布（ネット）とすることができる。なお、図２は、簡明とするために被覆材２１及びこれとパネル骨格１０との関係を正確な尺度で示していないが、実際は被覆材２１とパネル骨格１０とはもっと緊密した体裁となる。好ましくは、被覆材２１は、パネルの一体感を向上させるため、或いは使い勝手の良いものとするため、パネル骨格１０のネット１２に編み込まれる形態で張設されるのが良い。
【００２１】
パネル２０はさらに、当該パネルの一主面側に、被覆材２１の外面に縫着された接合手段としてのマジックテープ（登録商標）式開閉留めの一方のパーツ、本例ではフック構造帯２２を有する。フック構造帯２２は、本例では、パネル２０の縦方向に沿ってその中央に、好ましくはパネルの上端から下端にわたって取り付けられる。この上下端にわたるフック構造帯２２によって、パネル２０が逆さまにされても同様に扱うことができるという利点を奏する。すなわち、本例以外の形態でも、フック構造帯２２がパネル２０の主面の中心に点対称な形態で取り付けられることによって、パネル２０が逆さまにされても、マジックテープ（登録商標）式開閉留めの他方のパーツである後述するループ構造帯との同様の接合を保証することができるのである。
【００２２】
本実施例によれば、このようにして構成されるパネル２０を単位パネルとして複数用意し、それらを係合解除可能な態様で互いに係合させて組み合わせることによって、廃棄物を集積するための空間を形成するパネルアセンブリを構成する。
【００２３】
図３は、かかる組み合わせ態様を示しており、ここでは６枚のパネル２０が用いられる。この図から分かるように、６枚の単位パネル２０は、それぞれその主面が廃棄物集積所の地面又は床に対して垂直とされた状態に維持されながら、係合部材３０によって互いに係合させられて縦１２００ｍｍ、横６００ｍｍの底面及び９００ｍｍの高さを有する直方体の空間を形成する。組み合わせ後のパネルアセンブリ２００の上端には、廃棄物を投入するための開口が形成される。
【００２４】
ここではパネル２０間の連結部につき２つの同じ係合部材３０が用いられているが、係合部材の数は２つでなくともよいし、同じ係合部材でなくともよい。
【００２５】
図４は、係合部材３０の具体例を示しており、ここでは、係合部材３０として、大略リング状に湾曲させられその両端が所定の空隙をもって互いに対向させられ、各端部又はいずれか一方に所定の長さにわたり雄ネジ（図示せず）が切られた円柱状鋼体ボルト３１と、当該端部の雄ネジに螺合する雌ネジ（図示せず）が切られた貫通孔を有し、当該端部を連通する円筒状鋼体ナット３２とを有するリング様ロック部材を用いている。ナット３２を回転させてボルト３１のどちらか一方の端部に移動させボルト３１の空隙を作った状態で隣接するパネル２０のフレーム１１の直立線状部をそれぞれ通しボルト３１及びナット３２により閉じられる空間に入れ、その後ナット３２をボルト３１の反対の端部に移動させ閉じることにより、パネル２０の係合が行われる。
【００２６】
図５は、図４に示した係合部材３０に代わる代替えの具体例を示している。本例では、スナップフック（いわゆるカニカン又はキーフック）を係合部材３０として用いている。このスナップフックは、フック主部３３と、フック主部３３に連結しこれを回転自在にする機構部３４と、機構部３４に連結した二重リング３５とを有する。二重リング３５は、キーホルダなどに多く用いられている部材であって、リングを形成するワイヤの隙間から保持すべき部品を挿入させて当該部品を環装するものである。二重リング３５を、隣接するパネル２０の一方のフレーム１１の直立線状部に予め環装させておく一方、フック主部３３のレバー３３Ｌを引き、隣接するパネル２０の他方のフレーム１１の直立線状部をフック主部３３で留めることにより、パネル２０の係合が行われる。
【００２７】
図６は、図３に示したパネルアセンブリの上端に形成された開口を閉じるためのカバー部材を概略的に示している。
【００２８】
このカバー部材４０は、好ましくはナイロンなどの合成樹脂繊維を編み込んで作られる布地又は網状布とされ、アセンブリの開口よりも十分に大きく、その開口の平面形状と概ね相似形とするのが良い。カバー部材４０は、その主たる布部４１と、この布部４１の所定箇所、本例では外縁部に縫合された接合手段としてのマジックテープ（登録商標）式開閉留めの一方のパーツ、本例ではループ構造帯４２とを有する。
【００２９】
図７は、このカバー部材４０をパネルアセンブリに被せた状態を示している。この状態において、カバー部材４０のループ構造帯４２は、パネル２０のフック構造帯２２とマジックテープ（登録商標）式に接着し、小動物又は風などでは容易にパネルアセンブリから引き離されないようにされている。また接着後は、ループ構造帯４２をフック構造体２２から引き剥がすことによって、適宜カバー部材４０を必要なだけ引き剥がし、空いた開口から廃棄物をアセンブリ内に入れることができる。
【００３０】
なお、廃棄物の量によっては、パネルアセンブリが形成した空間（本例では、１２００×６００×９００ｍｍの空間）を超えて廃棄物が山積みになることもある。このような場合は、カバー部材４０がパネルアセンブリに対して上下に簡単に移動可能であるので、図７に点線にてその際のカバー部材４０’が示されるように、パネルアセンブリとの接着位置を必要に応じて上にずらすことによって、かなりの程度、対処することができる。したがって、このような場合をも許容するように、カバー部材は、十分に大きな面積を有するものとするのが好ましい。
【００３１】
以上の実施例は、６枚の単位パネルを用いて直方体の集積空間を形成するパネルアセンブリを構成したが、本発明によれば、廃棄物の量や廃棄物集積所の事情などに応じて様々な形態のパネルアセンブリを適宜簡単に構成することができる。例えば、上記実施例のものよりも小さい集積空間でよい場合には、図８に示されるように４枚の単位パネル２０を用いた構成としてもよいし、上記実施例のものよりも大きい集積空間が必要な場合には、図９に示されるように８枚の単位パネル２０を用いた構成としてもよい。なお、図８及び図９も、以下に挙げる図も、パネルアセンブリの平面図である。
【００３２】
また、集積空間は必ずしも直方体でなくともよく、状況によっては図１０に示すように、単位パネル２０を５枚使用して台形の底面を有する空間にすることも可能である。
【００３３】
さらに、必ずしも集積空間全体を単位パネルで取り囲む形態に限らず、これも状況によっては図１１に示すように、集積所において利用可能な例えば塀５０の壁面と３枚の単位パネル２０とで集積空間を取り囲むようにすることもできる。また、このように塀５０の壁面を利用する場合でも、集積空間は直方体に限らず、図１２に示すように、単位パネル２０を２枚だけ用いて底面が三角形の空間を形成することができる。
【００３４】
さらに付言すれば、必ずしも２枚の単位パネル２０による構成では直方体の集積空間ができない訳ではない。図１３に示されるように形成すべき直方体の２つ隣接する側面に沿って塀５０の壁面がある場合は、当該壁面に対向する形で２枚の単位パネル２０を配することにより、直方体の集積空間は形成可能である。
【００３５】
また、図１４に示すような塀５０の場合には、上述したものとは全く別の形状の集積空間を形成することもできる。
【００３６】
このように、本発明によれば、廃棄物の量や廃棄物集積所の事情などに応じて、臨機応変に様々な形態のパネルアセンブリを構成することができるのである。
【００３７】
また、単位パネル２０は、同じ形状及び寸法なので、製造コストを低く抑えることができる。なお、単位パネル２０を２種類用いて、例えば、図８において側面の単位パネルだけを異なるサイズの単位パネルとしてもよい。かかる場合にあっても、異なる個々のパネルを組み合わせたパネルアセンブリよりも製造コストを低減できるのである。さらに、単位パネル２０は、廃棄物の回収の後は、その組み合わされた単位パネル２０の係合を解除することにより個々に分離させることができ、分離した単位パネルを積み重ねたり、重ねて塀などに立て掛けておくことができる。その際、単位パネルが同じ形状及び寸法なので、整理し易く、しかも非常にコンパクトに収まり好都合となる。
【００３８】
上記実施例では、マジックテープ（登録商標）２２，４２によってカバー部材４０を単位パネル２０に取り外し可能に接合する接合手段を実現しているが、他の形態の部材を用いてもよいことは勿論である。
【００３９】
以上、本発明による代表的実施例を説明したが、本発明は必ずしもこれらに限定されるものではなく、当業者であれば、添付請求項の範囲を逸脱することなく種々の代替実施例及び改変例を見出すことができる。
【図面の簡単な説明】
【００４０】
【図１】本発明の一実施例によるパネルアセンブリに用いられる単位パネルの骨格構造を概略的に示す平面図である。
【図２】本発明の一実施例によるパネルアセンブリに用いられる仕上がり単位パネルの構成を概略的に示す斜視図である。
【図３】本発明の一実施例によるパネルアセンブリの形態を概略的に示す斜視図である。
【図４】本発明の一実施例によるパネルアセンブリに用いられる係合部材の一例を概略的に示す斜視図である。
【図５】本発明の一実施例によるパネルアセンブリに用いられる係合部材の他の例を概略的に示す斜視図である。
【図６】本発明の一実施例によるパネルアセンブリに用いられるカバー部材を概略的に示す平面図である。
【図７】本発明の一実施例によるパネルアセンブリのカバー部材を適用した形態を概略的に示す斜視図である。
【図８】本発明の他の実施例によるパネルアセンブリの形態を概略的に示す平面図である。
【図９】本発明のさらに他の実施例によるパネルアセンブリの形態を概略的に示す平面図である。
【図１０】本発明のまたさらに他の実施例によるパネルアセンブリの形態を概略的に示す平面図である。
【図１１】本発明の別の実施例によるパネルアセンブリの形態を概略的に示す平面図である。
【図１２】本発明のまた別の実施例によるパネルアセンブリの形態を概略的に示す平面図である。
【図１３】本発明のまたさらに別の実施例によるパネルアセンブリの形態を概略的に示す平面図である。
【図１４】本発明の代替実施例によるパネルアセンブリの形態を概略的に示す平面図である。
【符号の説明】
【００４１】
１０  単位パネル骨格
１１  フレーム
１２  ネット
２０  単位パネル
２１  被覆材
２２  フック構造帯
２００  パネルアセンブリ
３０  係合部材
４０，４０’  カバー部材
４１  布部
４２  ループ構造帯
３１  円柱状鋼体ボルト
３２  円筒状鋼体ナット
３３  フック主部
３３Ｌ  レバー
３４  機構部部
３５  二重リング
５０  塀
【図１】
2009084017.tif 000003
【図２】
2009084017.tif 000004
【図３】
2009084017.tif 000005
【図４】
2009084017.tif 000006
【図５】
2009084017.tif 000007
【図６】
2009084017.tif 000008
【図７】
2009084017.tif 000009
【図８】
2009084017.tif 000010
【図９】
2009084017.tif 000011
【図１０】
2009084017.tif 000012
【図１１】
2009084017.tif 000013
【図１２】
2009084017.tif 000014
【図１３】
2009084017.tif 000015
【図１４】
2009084017.tif 000016